(57)【特許請求の範囲】
【請求項１】
隣接する平地と斜面との境界に沿って該平地に立設された複数の親杭と、
前記親杭に対し、前記斜面と反対側に固定して設けられた複数段の腹起し対と、
各隣り合う前記親杭の間を覆うようにして該親杭の前記斜面側に固定された土止め用のプレートと、
前記プレートと前記斜面との間に投入された土砂と、
アンカーヘッドが前記腹起し対に対して支持され、アンカー体が前記斜面を構成する地盤内に設置された複数のアースアンカーと、
前記アンカーヘッド毎に設けられ、前記腹起し対に対して該アンカーヘッドを支持する複数のヘッド支持部と、
前記土砂の投入及び各アースアンカーの設置が行われた後に、隣り合う前記親杭の間に造成されたＲＣ壁とを備えることを特徴とする擁壁構造物。
【請求項２】
各段の腹起し対、前記ヘッド支持部及び前記アンカーヘッドを段毎に一体として覆うカバー部材を備え、
前記ヘッド支持部は、前記アンカーヘッドを、前記腹起し対を構成する各腹起しの間に位置付けて支持するものであることを特徴とする請求項１に記載の擁壁構造物。
【請求項３】
前記プレートの前記斜面側には、ゴムアスファルトによるルーフィングが施され、
前記ＲＣ壁及び前記カバー部材の前記斜面と反対側には、これらを一体として覆う防水被覆層が設けられることを特徴とする請求項２に記載の擁壁構造物。
【請求項４】
隣接する平地と斜面との境界線に沿って該平地に複数の親杭を立設する親杭立設工程と、
各親杭の間を所定の高さまで覆うように、該親杭の前記斜面側に土止め用のプレートを固定するプレート設置工程と、
前記プレートと前記斜面との間を、前記所定の高さまで土砂で埋め立てる埋立て工程と、
各親杭に対し、腹起し対を、前記斜面と反対側の前記所定の高さに対応する高さ位置に固定する腹起し設置工程と、
前記腹起し対に対し、アンカーヘッドを支持するための複数のヘッド支持部を取り付ける支持部取付け工程と、
アースアンカーのアンカーヘッドを前記ヘッド支持部により支持し、アンカー体を、前記斜面を構成する地盤中に設置することにより複数のアースアンカーを設置するアンカー設置工程と、
前記プレート設置工程、前記埋立て工程、前記腹起し設置工程、前記支持部取付け工程及び前記アンカー設置工程をさらに１回以上繰り返すことにより、前記親杭の長さに対応する段数分の前記プレートの固定、前記埋立て、前記腹起し対の設置、前記ヘッド支持部の取付及び前記アースアンカーの設置を行う繰返し工程と、
前記繰返し工程の後、各隣り合う前記親杭の間に、該親杭の高さに対応する高さのＲＣ壁を造成するＲＣ壁造成工程とを備えることを特徴とする擁壁構築方法。
【発明の詳細な説明】
【技術分野】
【０００１】
本発明は、アースアンカーを用いた擁壁構造物及び擁壁構築方法に関する。
【背景技術】
【０００２】
アースアンカーを用いて地盤に山留壁を構築する際には、まず、山留壁で区分される地盤の境界線に沿って複数の親杭が打ち込まれる。次に、境界線の内側を掘り下げながら、隣り合う親杭の間に横矢板が渡され、その外側の土砂が支持される。次に、所定の深さまで掘り下げた時点で、横矢板を通してアースアンカーが地盤に設けられる。そして、各親杭により、それらの間に渡された腹起しを介してアンカーヘッドが支持される（例えば、特許文献１参照）。
【０００３】
この地盤の掘り下げからアンカーヘッドの支持までの手順を、必要な掘り下げ深さに達するまで繰り返すことにより、親杭と横矢板を有する山留壁が構築される。このようなアースアンカー工法による山留壁は、廃棄物の最終処分場において、廃棄物を埋め立てて処分するための窪地である処分区画の造成に利用することも考えられている。
【先行技術文献】
【特許文献】
【０００４】
【特許文献１】特開２００７−１７７５１７号公報
【発明の概要】
【発明が解決しようとする課題】
【０００５】
ところで、クローズ型の最終処分場等において、処分区画を画定するための擁壁としては、半永久的にその防水機能等を維持しながら存続し得るものを採用する必要がある。また、かかる擁壁は、処分区画内が廃棄物によって埋め立てられるまでは、山留壁として、周囲の地盤の崩落を強固に食い止める強度を有する必要がある。このため、かかる擁壁としては、ＲＣ（鉄筋コンクリート）構造を有し、アースアンカーにより地盤に定着させたものを採用するのが好ましい。
【０００６】
しかしながら、アースアンカーを用い、上述の山留壁を構築する場合のようにしてＲＣ壁を構築しながら、アースアンカーを設置すると、アースアンカーを設置するときに、アースアンカーによる緊張力によって、ＲＣ壁にクラック（ひび割れ）が生じるおそれがある。
【０００７】
本発明の目的は、かかる従来技術の課題に鑑み、アースアンカーにより補強されたＲＣ壁による半永久的な擁壁を、ＲＣ壁にクラックを生じさせることなく構築できる擁壁構造物及び擁壁構築方法を提供することにある。
【課題を解決するための手段】
【０００８】
本発明の擁壁構造物は、隣接する平地と斜面との境界に沿って該平地に立設された複数の親杭と、前記親杭に対し、前記斜面と反対側に固定して設けられた複数段の腹起し対と、各隣り合う前記親杭の間を覆うようにして該親杭の前記斜面側に固定された土止め用のプレートと、前記プレートと前記斜面との間に投入された土砂と、アンカーヘッドが前記腹起し対に対して支持され、アンカー体が前記斜面を構成する地盤内に設置された複数のアースアンカーと、前記アンカーヘッド毎に設けられ、前記腹起し対に対して該アンカーヘッドを支持する複数のヘッド支持部と、前記土砂の投入及び各アースアンカーの設置が行われた後に、隣り合う前記親杭の間に造成されたＲＣ壁とを備えることを特徴とする。
【０００９】
本発明によれば、アースアンカー設置時にアースアンカーにジャッキ等によって付与される緊張力は、ヘッド支持部、腹起し対、親杭及び土止め用のプレートを介して、プレートと斜面との間の土砂に作用する。そして、かかる緊張力が十分に付与されたアースアンカーが設置された後に、各親杭の間にＲＣ壁が造成される。
【００１０】
このため、造成されるＲＣ壁に、アースアンカー設置時にアースアンカーに付与される緊張力が付与されることはない。このため、ＲＣ壁に、かかる緊張力によってクラックが生じることはない。したがって、アースアンカーにより補強されたＲＣ壁による半永久的な擁壁を、ＲＣ壁にクラックを生じさせることなく構築することができる。
【００１１】
本発明において、各段の腹起し対、前記ヘッド支持部及び前記アンカーヘッドを段毎に一体として覆うカバー部材を備え、前記ヘッド支持部は、前記アンカーヘッドを、前記腹起し対を構成する各腹起しの間に位置付けて支持するものであってもよい。
【００１２】
これによれば、アースアンカーにより補強されたＲＣ壁による擁壁を支障なく構築しながら、その擁壁におけるヘッド支持部やアンカーヘッドをカバー部材で覆い、擁壁の耐久性をさらに高めることができる。その際、アンカーヘッドが腹起し対を構成する各腹起しの間に位置付けられて支持されるので、アンカーヘッドが腹起し対のＲＣ壁と反対側に突出する場合に比べて、カバー部材の大きさを小さくすることができる。
【００１３】
本発明において、前記プレートの前記斜面側には、ゴムアスファルトによるルーフィングが施され、前記ＲＣ壁及び前記カバー部材の前記斜面と反対側には、これらを一体として覆う防水被覆層が設けられてもよい。
【００１４】
これによれば、ゴムアスファルトによるルーフィングと、防水被覆層とにより、擁壁構造物自体の防水性や、擁壁構造物の内側と外側との間の防水性を向上させることができる。これにより、擁壁構造物の耐久性を向上させるとともに、擁壁構造物の内側が廃棄物で埋め立てられた場合にはその廃棄物への雨水の侵入を効果的に防止することができる。
【００１７】
本発明の擁壁構築方法は、平地と斜面との境界線に沿って該平地に複数の親杭を立設する親杭立設工程と、各親杭の間を所定の高さまで覆うように、該親杭の前記斜面側に土止め用のプレートを固定するプレート設置工程と、前記プレートと前記斜面との間を、前記所定の高さまで土砂で埋め立てる埋立て工程と、各親杭に対し、腹起し対を、前記斜面と反対側の前記所定の高さに対応する高さ位置に固定する腹起し設置工程と、前記腹起し対に対し、アンカーヘッドを支持するための複数のヘッド支持部を取り付ける支持部取付け工程と、アースアンカーのアンカーヘッドを前記ヘッド支持部により支持し、アンカー体を、前記斜面を構成する地盤中に設置することにより複数のアースアンカーを設置するアンカー設置工程と、前記プレート設置工程、前記埋立て工程、前記腹起し設置工程、前記支持部取付け工程及び前記アンカー設置工程をさらに１回以上繰り返すことにより、前記親杭の長さに対応する段数分の前記プレートの固定、前記埋立て、前記腹起し対の設置、前記ヘッド支持部の取付及び前記アースアンカーの設置を行う繰返し工程と、前記繰返し工程の後、各隣り合う前記親杭の間に、該親杭の高さに対応する高さのＲＣ壁を造成するＲＣ壁造成工程とを備えることを特徴とする。
【００１８】
本発明の擁壁構築方法によれば、上記本発明の擁壁構造物の場合と同様に、アースアンカー設置時にアースアンカーに付与される大きな緊張力がＲＣ壁に付与されることがない。したがって、アースアンカーにより補強されたＲＣ壁による擁壁を、ＲＣ壁にクラックを生じさせることなく構築することができる。
【００１９】
なお、繰り返される各段のプレート設置工程、又は腹起し設置工程及び支持部取付け工程は、その段毎に他の工程とともに行う必要はなく、各段の他の工程に先行して、先に全段数分又は複数段数分を行うようにしてもよい。
【図面の簡単な説明】
【００２０】
【図１】本発明の一実施形態に係る擁壁構造物を斜面と反対側から見た図である。
【図２】図１のII-II線断面図である。
【図３】図２の一部を拡大した断面図である。
【図４】（ａ）は、図１の擁壁構造物のヘッド支持部の正面図であり、（ｂ）は、その側面図である。
【図５】（ａ）は、図１の擁壁構造物のアースアンカーが通っているデッキプレート部分を斜面側から見た図であり、（ｂ）は、そのＢ−Ｂ線断面図である。
【図６】図１の擁壁構造物を構築する手順を示すフローチャートである。
【発明を実施するための形態】
【００２１】
以下、図面を用いて本発明の実施形態を説明する。図１及び図２に示すように、実施形態の擁壁構造物１は、相互に隣接する平地２と斜面３との境界に沿って平地２に立設された複数の親杭４と、親杭４の斜面３と反対側に固定された複数段の腹起し対５とを備える。各腹起し対５は、上側の腹起し５ａと、下側の腹起し５ｂとで構成される。なお、図１及び図２においては、後述する防水被覆層２５を設ける前の状態が示されている。
【００２２】
擁壁構造物１は、クローズ型の最終処分場等において、処分区画を画定するための擁壁を構成するものであり、半永久的にその防水機能等を維持しながら存続し得るものである。平地２及び斜面３は、擁壁構造物１を構築するにあたって、予め地盤が掘り下げられて形成されたものである。斜面３の表面にはモルタル３ａが吹き付けられる。
【００２３】
腹起し５ａは、腹起し５ａを下側から支持する上側のブラケット６ａを介して親杭４に固定される。腹起し５ｂは、腹起し５ｂを下側から支持する下側のブラケット６ｂを介して親杭４に固定される。親杭４及び腹起し５ａ、５ｂは、例えば、Ｈ型鋼により構成される。
【００２４】
図３は、図２の一部を拡大した断面図である。図３に示すように、親杭４の斜面３側には、各親杭４の間を覆うようにして、土留め用のデッキプレート７が固定される。デッキプレート７と斜面３との間には、土砂８が投入される。また、腹起し対５に対し、ヘッド支持部９によってアンカーヘッド１０が支持されたアースアンカー１１が設けられる。アンカーヘッド１０は、アルミキャップ１０ａ等により保護される。
【００２５】
ヘッド支持部９は、各段の腹起し対５における所定の隣り合う親杭４の間に１つずつ設けられる。本実施形態では、図１に示すように、１段目及び２段目の腹起し対５については、各隣り合う親杭４の間の１つ置きにヘッド支持部９が１つずつ設けられる。３段目の腹起し対５については、各隣り合う親杭４の間の２つ置きにヘッド支持部９が１つずつ設けられる。
【００２６】
図２のように、各アースアンカー１１のアンカー体１３は、斜面３を構成する地盤１４中に造成される。アースアンカー１１は、デッキプレート７と斜面３との間に投入された土砂８のＮ値をゼロとして設計される。したがって、アースアンカー１１は、土砂８のＮ値に対応する強度分だけ、許容アンカー引張り力が設計値よりも向上したものとなる。
【００２７】
土砂８としては、例えばＮ値が３０程度のものが使用される。その場合、実際の許容アンカー引張り力は、Ｎ値をゼロとして設計した値の例えば１５０％程度となる。これにより、設置されるアースアンカー１１は、より大きなアンカー引張り力に対する耐性が担保されたものとなる。
【００２８】
図４（ａ）は、ヘッド支持部９の正面図であり、図４（ｂ）は、その側面図である。図４に示すように、ヘッド支持部９は、ほぼ凸字型の２枚の側板１５を対向させ、両側板１５の間をリブ板１６等で接続して構成される。両側板１５の間には、アースアンカー１１のアンカーヘッド１０を、アンカープレート１７を介して支持する２枚の支持板１９が設けられる。
【００２９】
２枚の支持板１９は、アンカープレート１７に対して直角をなすように設けられる。２枚の支持板１９は、アンカープレート１７に平行な端面を有し、該端面を介して、アンカープレート１７を支持する。
【００３０】
ヘッド支持部９は、その凸字形状における凸んだ部分が腹起し５ａ及び５ｂの間に位置するようにして下方から腹起し５ｂにより支持される。また、ヘッド支持部９は、上下両側に張り出した部分が、腹起し５ａ及び５ｂのデッキプレート７と反対側の面に接するようにして、腹起し対５に固定される。これにより、２枚の支持板１９は、アースアンカー１１の長さ方向に平行に配置される。
【００３１】
図５（ａ）は、アースアンカー１１が通っているデッキプレート７の部分を斜面３側から見た図であり、図５（ｂ）は、そのＢ−Ｂ線断面図である。ただし、図５（ａ）では土砂８の表示を省略している。図５に示すように、デッキプレート７の斜面３側には、ゴムアスファルト２０によるルーフィングが施される。デッキプレート７のアースアンカー１１が通っている部分には、開口部２１が設けられる。ゴムアスファルト２０は、開口部２１をも覆う。
【００３２】
アースアンカー１１は、ゴムアスファルト２０を、開口部２１の中心部に対応する部分において、ゴムアスファルト２０に密接した状態で貫通するように設けられる。したがって、土砂８側からの開口部２１を経た雨水の侵入が、ゴムアスファルト２０によって極力防止される。
【００３３】
図１〜図３のように、各親杭４の間には、鉄筋２２により強化されたＲＣ壁２３が造成される。この造成は、斜面３とデッキプレート７との間への土砂８の投入及び各段のアースアンカー１１の設置が完了した後に行われる。
【００３４】
ＲＣ壁２３のデッキプレート７と反対側には、図３のように、アンカーヘッド１０、ヘッド支持部９、腹起し対５を覆う断面が台形状のカバー部材２４が設けられる。図１のように、カバー部材２４は、水平方向に延在しており、各段のヘッド支持部９、腹起し対５等を、段毎に一体として覆う。
【００３５】
図３のように、ＲＣ壁２３のデッキプレート７と反対側には、ＲＣ壁２３及びカバー部材２４を一体として覆う防水被覆層２５が設けられる。防水被覆層２５は、例えば、ＲＣ壁２３側から、適宜厚さの保護マット、遮水シート、もう１層の保護マット、もう１層の遮水シート及びウレタン層を、この順で重ね、ウレタン層の上に不燃性材を吹き付けて構成される。
【００３６】
図６は、擁壁構造物１を構築する手順を示す。ただし、この手順を実施するのに先立ち、予め地盤が掘り下げられて平地２及び斜面３が形成されているものとする。
【００３７】
図６に示すように、擁壁構造物１の構築に際しては、まず、相互に隣接する平地２と斜面３との境界線に沿って平地２に複数の親杭４を立設する親杭立設工程が行われる（ステップＳ１）。親杭４としては、例えば長さが１４［ｍ］のＨ鋼が用いられる。
【００３８】
親杭４の立設は、例えば、各親杭４の基端部を平地２に深さ２５００［ｍｍ］まで埋設することにより行われる。各親杭４の設置間隔としては、例えば、１２００［ｍｍ］が該当する。親杭４の基端部の埋設は、親杭４を平地２に打ち込んだり、基端部の周囲をコンクリート等で固めたりすることにより行われる。
【００３９】
次に、各親杭４の間を、平地２の高さから第１高さまで覆うように、親杭４の斜面３側に１段目のデッキプレート７を設置するプレート設置工程が行われる（ステップＳ２）。第１高さとしては、例えば、平地２の高さに４［ｍ］を加えた高さが該当する。
【００４０】
次に、デッキプレート７と斜面３との間を、第１高さまで土砂８で埋め立てる埋立て工程が行われる（ステップＳ３）。土砂８としては、Ｎ値が３０程度のものが用いられる。
【００４１】
次に、１段目の腹起し対５を、ブラケット６ａ及び６ｂを用いて、親杭４の斜面３と反対側に設置する腹起し設置工程が行われる（ステップＳ４）。この設置は、腹起し対５が各親杭４を第１高さに対応する高さで横切るように行われる。なお、腹起し５ａ及び５ｂは、親杭４の数に応じて、適宜、水平方向に接続され、延長される。
【００４２】
次に、腹起し対５に対し、アンカーヘッド１０を支持するための１段目のヘッド支持部９を取り付ける支持部取付け工程が行われる（ステップＳ５）。このとき、各隣り合う親杭４の間の１つ置きにヘッド支持部９が１つずつ設けられる（図１参照）。
【００４３】
次に、１段目のアースアンカー１１を設置するアンカー設置工程が行われる（ステップＳ６）。アースアンカー１１の設置は、アンカーヘッド１０を１段目のヘッド支持部９により支持し、アンカー体１３を、斜面３を構成する地盤１４中に造成することにより行われる。
【００４４】
このとき、アースアンカー１１の設計値に従い、アンカーヘッド１０に対してジャッキにより適切な緊張力が付与される。この緊張力は、ヘッド支持部９、腹起し対５、親杭４及びデッキプレート７を介して、デッキプレート７と斜面３との間の土砂８に作用する。
【００４５】
次に、ステップＳ２〜Ｓ６と同様の手順で、さらに第２高さまでのデッキプレート７の設置（プレート設置工程）、土砂８による埋立て（埋立て工程）、２段目の腹起し対５の設置（腹起し設置工程）、ヘッド支持部９の取付け（支持部取付け工程）、アースアンカー１１の設置（アンカー設置工程）が行われる（繰返し工程；ステップＳ７）。第２高さとしては、例えば、第１高さに４［ｍ］を加えた高さが該当する。
【００４６】
次に、ステップＳ２〜Ｓ６と同様の手順で、さらに第３高さまでのデッキプレート７の設置（プレート設置工程）、土砂８による埋立て（埋立て工程）、３段目の腹起し対５の設置（腹起し設置工程）、ヘッド支持部９の取付け（支持部取付け工程）、アースアンカー１１の設置（アンカー設置工程）が行われる（繰返し工程；ステップＳ８）。なお、必要に応じて、さらにデッキプレート７の設置、土砂８による埋立てが行われる。
【００４７】
次に、各隣り合う親杭４の間に、平地２の高さから親杭４の高さに対応する高さのＲＣ壁２３を造成するＲＣ壁造成工程が行われる（ステップＳ９）。この後、カバー部材２４や、防水被覆層２５が設けられ、擁壁構造物１の構築が完成する。
【００４８】
本実施形態によれば、アースアンカー１１の設置時に、アースアンカー１１に付与される緊張力は、腹起し対５、親杭４及びデッキプレート７を介して、デッキプレート７と斜面３との間の土砂８に作用する。そして、各段のアースアンカー１１が設置された後に、各親杭４の間にＲＣ壁２３が造成される。
【００４９】
このため、アースアンカー１１の設置時にアースアンカー１１に付与される緊張力が、造成後のＲＣ壁２３に付与されることはない。したがって、アースアンカー１１により補強されたＲＣ壁２３による半永久的な擁壁を、ＲＣ壁２３にクラックを生じさせることなく、構築することができる。
【００５０】
また、アンカーヘッド１０を、腹起し５ａ及び５ｂ間に位置付けて支持するヘッド支持部９を備えるので、腹起し対５からアンカーヘッド１０が突出するのを回避するとともに、カバー部材２４のＲＣ壁２３に対する高さを低くすることができる。また、腹起し対５や、ヘッド支持部９、アンカーヘッド１０がカバー部材２４で覆われるので、これらの部分の耐久性を高めることができる。
【００５１】
また、アースアンカー１１は、デッキプレート７と斜面３との間に投入される土砂のＮ値をゼロとして設計されるので、アースアンカー１１は、より大きなアンカー引張り力に対する耐性が担保されたものとなる。
【００５２】
なお、本発明は上記の実施形態に限定されない。例えば、繰り返される各段についてのプレート設置工程（ステップＳ２）、腹起し設置工程（ステップＳ４）、又は支持部取付け工程（ステップＳ５）は、その段毎に他の工程（ステップＳ３、Ｓ６）とともに行う必要はなく、各段の他の工程に先行して、３段分をまとめて行うようにしてもよい。
【符号の説明】
【００５３】
１…擁壁構造物、２…平地、３…斜面、４…親杭、５…腹起し対、７…デッキプレート、８…土砂、１０…アンカーヘッド、１１…アースアンカー、１３…アンカー体、２０…ゴムアスファルト、２３…ＲＣ壁、２４…カバー部材。
【要約】
【課題】アースアンカーにより補強されたＲＣ壁による半永久的な擁壁を、クラックを生じさせることなく構築できる擁壁構造物及び擁壁構築方法を提供する。
【解決手段】擁壁構造物１は、平地２と斜面３との境界に沿って平地２に立設された複数の親杭４と、親杭４に固定された複数段の腹起し対５と、親杭４の斜面側に固定されたデッキプレート７と、デッキプレート７と斜面３との間に投入される土砂８と、アンカーヘッド１０が腹起し対５で支持され、アンカー体１３が地盤１４中に造成された複数のアースアンカー１１と、土砂８の投入とアースアンカー１１の設置が行われた後に各親杭４間に造成されたＲＣ壁２３とを備える。
【選択図】図２【図４】
0005490300.tif 000002
【図１】
0005490300.tif 000003
【図２】
0005490300.tif 000004
【図３】
0005490300.tif 000005
【図５】
0005490300.tif 000006
【図６】
0005490300.tif 000007